(57)【要約】【課題】ユーザがカートリッジに関する情報を適切に取得することができる印刷装置を提供する。【解決手段】印刷装置２は、インクカートリッジ２６が着脱自在に搭載される装置本体５と、インクカートリッジ２６に関するカートリッジ情報を記憶する記憶部３４と、外部の端末装置２２からの電波を受信するアンテナ部２８と、アンテナ部２８で受信した電波によって電力を生起する電源部３２と、電源部３２により生起された電力が供給された際に、インクカートリッジ２６が装置本体５に搭載されているか否かを判定し、その判定結果に対応するカートリッジ情報を記憶部３４から読み出す制御部３６と、アンテナ部２８を介して端末装置２２と近接無線通信する通信部３０であって、制御部３６により読み出されたカートリッジ情報を端末装置２２に送信する通信部３０とを備える。【選択図】図２
2017177777.tif 000002
【特許請求の範囲】
【請求項１】
印刷用の記録剤が充填されたカートリッジが着脱自在に搭載される装置本体と、
前記カートリッジに関するカートリッジ情報を記憶する記憶部と、
外部の端末装置からの電波を受信するアンテナ部と、
前記アンテナ部で受信した電波によって電力を生起する電源部と、
前記電源部により生起された電力が供給された際に、前記カートリッジが前記装置本体に搭載されているか否かを判定し、その判定結果に対応する前記カートリッジ情報を前記記憶部から読み出す制御部と、
前記アンテナ部を介して前記端末装置と近接無線通信する通信部であって、前記制御部により読み出された前記カートリッジ情報を前記端末装置に送信する通信部と、を備える
印刷装置。
【請求項２】
前記制御部は、前記電源部により生起された電力を前記カートリッジを介してループバックする回路の接続状態に基づいて、前記カートリッジが前記装置本体に搭載されているか否かを判定する
請求項１に記載の印刷装置。
【請求項３】
前記カートリッジ情報は、前記カートリッジの状態を示す第１の情報及び前記カートリッジが前記装置本体に搭載されていないことを示す第２の情報を含み、
前記記憶部は、
前記装置本体に設けられ、前記第１の情報を記憶する第１の記憶領域と、
前記装置本体に設けられ、前記第２の情報を記憶する第２の記憶領域と、を有し、
前記制御部は、
前記カートリッジが前記装置本体に搭載されていると判定した場合には、前記第１の記憶領域から前記第１の情報を読み出し、
前記カートリッジが前記装置本体に搭載されていないと判定した場合には、前記第２の記憶領域から前記第２の情報を読み出す
請求項１又は２に記載の印刷装置。
【請求項４】
前記カートリッジ情報は、さらに、前記カートリッジに固有の情報である第３の情報を含み、
前記記憶部は、さらに、前記第３の情報を記憶する第３の記憶領域を有し、
前記制御部は、
前記カートリッジが前記装置本体に搭載されていると判定した場合には、前記第１の記憶領域から前記第１の情報を読み出し、且つ、前記第３の記憶領域から前記第３の情報を読み出し、
前記カートリッジが前記装置本体に搭載されていないと判定した場合には、前記第２の記憶領域から前記第２の情報を読み出し、且つ、前記第３の記憶領域から前記第３の情報を読み出す
請求項３に記載の印刷装置。
【請求項５】
前記第３の情報は、前記カートリッジの型番を示す情報である
請求項４に記載の印刷装置。
【請求項６】
前記カートリッジ情報は、前記カートリッジの状態を示す第１の情報及び前記カートリッジが前記装置本体に搭載されていないことを示す第２の情報を含み、
前記記憶部は、
前記カートリッジに設けられ、前記第１の情報を記憶する第１の記憶部と、
前記装置本体に設けられ、前記第２の情報を記憶する第２の記憶部と、で構成され、
前記制御部は、
前記カートリッジが前記装置本体に搭載されていると判定した場合には、前記第１の記憶部から前記第１の情報を読み出し、
前記カートリッジが前記装置本体に搭載されていないと判定した場合には、前記第２の記憶部から前記第２の情報を読み出す
請求項１又は２に記載の印刷装置。
【請求項７】
前記第１の情報は、前記記録剤の残量を示す情報である
請求項３〜６のいずれか１項に記載の印刷装置。
【請求項８】
前記記録剤はインクであり、前記カートリッジはインクカートリッジである
請求項１〜７のいずれか１項に記載の印刷装置。
【請求項９】
前記記録剤はトナーであり、前記カートリッジはトナーカートリッジである
請求項１〜７のいずれか１項に記載の印刷装置。
【請求項１０】
物品が着脱自在に搭載される機器本体と、
前記物品に関する物品情報を記憶する記憶部と、
外部の端末装置からの電波を受信するアンテナ部と、
前記アンテナ部で受信した電波によって電力を生起する電源部と、
前記電源部により生起された電力が供給された際に、前記物品が前記機器本体に搭載されているか否かを判定し、その判定結果に対応する前記物品情報を前記記憶部から読み出す制御部と、
前記アンテナ部を介して前記端末装置と近接無線通信する通信部であって、前記制御部により読み出された前記物品情報を前記端末装置に送信する通信部と、を備える
電子機器。
【発明の詳細な説明】
【技術分野】
【０００１】
本発明は、印刷装置及び電子機器に関する。
【背景技術】
【０００２】
例えばスマートフォンとの間で近接無線通信することができるインクジェットプリンタが知られている（例えば、特許文献１参照）。近接無線通信とは、例えばＮＦＣ（Ｎｅａｒ  Ｆｉｅｌｄ  Ｃｏｍｍｕｎｉｃａｔｉｏｎ）規格に従った通信方式による通信である。このインクジェットプリンタの主電源がオンの状態で、インクジェットプリンタに設けられた不揮発性メモリには、インクカートリッジに関する情報（例えばインク残量の情報）が記憶される。
【０００３】
インクジェットプリンタの主電源がオフの状態で、スマートフォンをインクジェットプリンタにかざすことにより、インクジェットプリンタの内部で電磁誘導により電力が生起する。この生起された電力によって、不揮発性メモリに記憶されている情報が読み出され、スマートフォンに送信される。これにより、ユーザは、インクジェットプリンタの主電源をオンにすることなく、インクカートリッジに関する情報を取得することができる。
【先行技術文献】
【特許文献】
【０００４】
【特許文献１】特開２０１３−１８６５０４号公報
【発明の概要】
【発明が解決しようとする課題】
【０００５】
しかしながら、上述した従来のインクジェットプリンタでは、次のような課題が生じる。例えばインクジェットプリンタの主電源がオフの状態でインクカートリッジが取り外された場合には、不揮発性メモリには、取り外されたインクカートリッジに関する情報が記憶されたままとなる。このような場合に、不揮発性メモリに記憶された情報がスマートフォンに送信されたとしても、ユーザは、インクカートリッジに関する情報を適切に取得することができない。
【０００６】
本発明は、上述した課題を解決しようとするものであり、その目的は、ユーザがカートリッジ（物品）に関する情報を適切に取得することができる印刷装置及び電子機器を提供することである。
【課題を解決するための手段】
【０００７】
上記目的を達成するために、本発明の一態様に係る印刷装置は、印刷用の記録剤が充填されたカートリッジが着脱自在に搭載される装置本体と、前記カートリッジに関するカートリッジ情報を記憶する記憶部と、外部の端末装置からの電波を受信するアンテナ部と、前記アンテナ部で受信した電波によって電力を生起する電源部と、前記電源部により生起された電力が供給された際に、前記カートリッジが前記装置本体に搭載されているか否かを判定し、その判定結果に対応する前記カートリッジ情報を前記記憶部から読み出す制御部と、前記アンテナ部を介して前記端末装置と近接無線通信する通信部であって、前記制御部により読み出された前記カートリッジ情報を前記端末装置に送信する通信部と、を備える。
【０００８】
本態様によれば、制御部は、判定結果に対応するカートリッジ情報を記憶部から読み出し、通信部は、制御部により読み出されたカートリッジ情報を端末装置に送信する。これにより、ユーザは、カートリッジが装置本体に搭載されているか否かに応じて適切なカートリッジ情報を取得することができる。
【０００９】
例えば、本発明の一態様に係る印刷装置において、前記制御部は、前記電源部により生起された電力を前記カートリッジを介してループバックする回路の接続状態に基づいて、前記カートリッジが前記装置本体に搭載されているか否かを判定するように構成してもよい。
【００１０】
本態様によれば、制御部は、電力をカートリッジを介してループバックする回路の接続状態に基づいて、カートリッジが装置本体に搭載されているか否かを判定する。これにより、簡易な構成でカートリッジが装置本体に搭載されているか否かを判定することができる。
【００１１】
例えば、本発明の一態様に係る印刷装置において、前記カートリッジ情報は、前記カートリッジの状態を示す第１の情報及び前記カートリッジが前記装置本体に搭載されていないことを示す第２の情報を含み、前記記憶部は、前記装置本体に設けられ、前記第１の情報を記憶する第１の記憶領域と、前記装置本体に設けられ、前記第２の情報を記憶する第２の記憶領域と、を有し、前記制御部は、前記カートリッジが前記装置本体に搭載されていると判定した場合には、前記第１の記憶領域から前記第１の情報を読み出し、前記カートリッジが前記装置本体に搭載されていないと判定した場合には、前記第２の記憶領域から前記第２の情報を読み出すように構成してもよい。
【００１２】
本態様によれば、カートリッジが装置本体に搭載されていると判定された場合には、第１の記憶領域から読み出された第１の情報が端末装置に送信される。これにより、ユーザは、カートリッジの状態を示す第１の情報（例えば記録剤の残量を示す情報）を取得することができる。一方、カートリッジが装置本体に搭載されていないと判定された場合には、第２の記憶領域から読み出された第２の情報が端末装置に送信される。これにより、ユーザは、カートリッジが装置本体に搭載されていないことを示す第２の情報を取得することができる。
【００１３】
例えば、本発明の一態様に係る印刷装置において、前記カートリッジ情報は、さらに、前記カートリッジに固有の情報である第３の情報を含み、前記記憶部は、さらに、前記第３の情報を記憶する第３の記憶領域を有し、前記制御部は、前記カートリッジが前記装置本体に搭載されていると判定した場合には、前記第１の記憶領域から前記第１の情報を読み出し、且つ、前記第３の記憶領域から前記第３の情報を読み出し、前記カートリッジが前記装置本体に搭載されていないと判定した場合には、前記第２の記憶領域から前記第２の情報を読み出し、且つ、前記第３の記憶領域から前記第３の情報を読み出すように構成してもよい。
【００１４】
本態様によれば、カートリッジが装置本体に搭載されていると判定された場合には、第１の記憶領域から読み出された第１の情報と第３の記憶領域から読み出された第３の情報とが端末装置に送信される。これにより、ユーザは、カートリッジの状態を示す第１の情報とカートリッジに固有の第３の情報（例えばカートリッジの型番を示す情報）とを取得することができる。一方、カートリッジが装置本体に搭載されていないと判定された場合には、第２の記憶領域から読み出された第２の情報と第３の記憶領域から読み出された第３の情報とが端末装置に送信される。これにより、ユーザは、カートリッジが装置本体に搭載されていないことを示す第２の情報と上述した第３の情報とを取得することができる。
【００１５】
例えば、本発明の一態様に係る印刷装置において、前記第３の情報は、前記カートリッジの型番を示す情報であるように構成してもよい。
【００１６】
本態様によれば、第３の情報を、カートリッジの型番を示す情報とすることができる。
【００１７】
例えば、本発明の一態様に係る印刷装置において、前記カートリッジ情報は、前記カートリッジの状態を示す第１の情報及び前記カートリッジが前記装置本体に搭載されていないことを示す第２の情報を含み、前記記憶部は、前記カートリッジに設けられ、前記第１の情報を記憶する第１の記憶部と、前記装置本体に設けられ、前記第２の情報を記憶する第２の記憶部と、で構成され、前記制御部は、前記カートリッジが前記装置本体に搭載されていると判定した場合には、前記第１の記憶部から前記第１の情報を読み出し、前記カートリッジが前記装置本体に搭載されていないと判定した場合には、前記第２の記憶部から前記第２の情報を読み出すように構成してもよい。
【００１８】
本態様によれば、カートリッジが装置本体に搭載されていると判定された場合には、第１の記憶部から読み出された第１の情報が端末装置に送信される。これにより、ユーザは、カートリッジの状態を示す第１の情報（例えば記録剤の残量を示す情報）を取得することができる。一方、カートリッジが装置本体に搭載されていないと判定された場合には、第２の記憶部から読み出された第２の情報が端末装置に送信される。これにより、ユーザは、カートリッジが装置本体に搭載されていないことを示す第２の情報を取得することができる。
【００１９】
例えば、本発明の一態様に係る印刷装置において、前記第１の情報は、前記記録剤の残量を示す情報であるように構成してもよい。
【００２０】
本態様によれば、第１の情報を、記録剤の残量を示す情報とすることができる。
【００２１】
例えば、本発明の一態様に係る印刷装置において、前記記録剤はインクであり、前記カートリッジはインクカートリッジであるように構成してもよい。
【００２２】
本態様によれば、カートリッジをインクカートリッジとすることができる。
【００２３】
例えば、本発明の一態様に係る印刷装置において、前記記録剤はトナーであり、前記カートリッジはトナーカートリッジであるように構成してもよい。
【００２４】
本態様によれば、カートリッジをトナーカートリッジとすることができる。
【００２５】
また、本発明の一態様に係る電子機器は、物品が着脱自在に搭載される機器本体と、前記物品に関する物品情報を記憶する記憶部と、外部の端末装置からの電波を受信するアンテナ部と、前記アンテナ部で受信した電波によって電力を生起する電源部と、前記電源部により生起された電力が供給された際に、前記物品が前記機器本体に搭載されているか否かを判定し、その判定結果に対応する前記物品情報を前記記憶部から読み出す制御部と、前記アンテナ部を介して前記端末装置と近接無線通信する通信部であって、前記制御部により読み出された前記物品情報を前記端末装置に送信する通信部と、を備える。
【００２６】
本態様によれば、制御部は、判定結果に対応するカートリッジ情報を記憶部から読み出し、通信部は、制御部により読み出されたカートリッジ情報を端末装置に送信する。これにより、ユーザは、カートリッジが機器本体に搭載されているか否かに応じて適切なカートリッジ情報を取得することができる。
【００２７】
なお、本発明は、このような特徴的な処理部を備える印刷装置（電子機器）として実現することができるだけでなく、印刷装置（電子機器）に含まれる特徴的な処理部が実行する処理をステップとする通信方法として実現することができる。また、印刷装置（電子機器）に含まれる特徴的な処理部としてコンピュータを機能させるためのプログラムまたは通信方法に含まれる特徴的なステップをコンピュータに実行させるプログラムとして実現することもできる。そして、そのようなプログラムを、ＣＤ−ＲＯＭ（Ｃｏｍｐａｃｔ  Ｄｉｓｃ−Ｒｅａｄ  Ｏｎｌｙ  Ｍｅｍｏｒｙ）等のコンピュータ読み取り可能な非一時的な記録媒体やインターネット等の通信ネットワークを介して流通させることができるのは、言うまでもない。
【発明の効果】
【００２８】
本発明の一態様に係る印刷装置等によれば、ユーザがカートリッジ（物品）に関する情報を適切に取得することができる。
【図面の簡単な説明】
【００２９】
【図１】実施の形態１に係る印刷装置の外観を示す斜視図である。
【図２】実施の形態１に係る印刷装置の機能構成を示すブロック図である。
【図３】実施の形態１に係る印刷装置の動作の流れを示すフローチャートである。
【図４Ａ】端末装置における第１の情報の表示例を示す図である。
【図４Ｂ】端末装置における第２の情報の表示例を示す図である。
【図５】実施の形態２に係る印刷装置の機能構成を示すブロック図である。
【図６】実施の形態２に係る印刷装置の動作の流れを示すフローチャートである。
【図７】端末装置における第３の情報の表示例を示す図である。
【図８】実施の形態３に係る印刷装置の機能構成を示すブロック図である。
【図９】実施の形態３に係る印刷装置の動作の流れを示すフローチャートである。
【発明を実施するための形態】
【００３０】
以下、本発明の実施の形態について、図面を用いて詳細に説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、独立請求項に記載されていない構成要素については、任意の構成要素として説明される。
【００３１】
（実施の形態１）
［１−１．印刷装置の全体構成］
まず、図１を参照しながら、実施の形態１に係る印刷装置２の全体構成について説明する。図１は、実施の形態１に係る印刷装置２の外観を示す斜視図である。
【００３２】
実施の形態１に係る印刷装置２（電子機器の一例）は、例えばインク（記録剤の一例）を用いて用紙（図示せず）に画像を印刷するインクジェットプリンタである。図１に示すように、印刷装置２は、筐体４を有する装置本体５（機器本体の一例）を備えている。筐体４の背面には、印刷すべき用紙を筐体４の内部に供給するための供給口６が設けられている。供給口６には、印刷すべき用紙を後方より支持するための供給トレイ８が取り付けられている。筐体４の前面には、印刷された用紙を筐体４の外部に排出するための排出口１０が設けられている。排出口１０には、印刷された用紙を下方より支持するための排出トレイ１２が開閉自在に取り付けられている。
【００３３】
筐体４の上面には、印刷装置２とユーザとの間のユーザインタフェースである操作パネル１４が設けられている。操作パネル１４には、操作部１６、表示部１８及びＮＦＣユニット２０が配置されている。操作部１６は、ユーザによる印刷装置２に対する各種操作（例えば、主電源のオン・オフ又は印刷の開始等）を受け付けるための押しボタンである。表示部１８は、印刷装置２の状態に関する各種メッセージ等を表示するための液晶ディスプレイである。ＮＦＣユニット２０は、印刷装置２と外部の端末装置２２（例えば、スマートフォン）との間で近接無線通信を確立するためのユニットである。なお、近接無線通信とは、例えばＮＦＣ規格に従った通信方式による通信である。端末装置２２をＮＦＣユニット２０にかざすことにより、印刷装置２と端末装置２２との間で近接無線通信が確立する。
【００３４】
装置本体５は、さらに、筐体４の内部に配置され且つ所定方向に往復移動するキャリッジ２４を有している。キャリッジ２４には、インクカートリッジ２６（カートリッジ及び物品の一例）が着脱自在に搭載されている。インクカートリッジ２６には、例えば、ブラック（Ｂ）、マゼンタ（Ｍ）、イエロー（Ｙ）及びシアン（Ｃ）の各色のインクが充填されている。キャリッジ２４の下端部には、インクカートリッジ２６から供給されるインクを吐出するための記録ヘッド（図示せず）が設けられている。
【００３５】
印刷装置２で用紙に画像を印刷する際には、用紙は、キャリッジ２４が往復移動する方向に略垂直な方向に搬送される。この状態で、記録ヘッドから用紙に向けてインクが吐出されることにより、用紙に画像が印刷される。
【００３６】
［１−２．印刷装置の機能構成］
次に、図２を参照しながら、実施の形態１に係る印刷装置２の機能構成について説明する。図２は、実施の形態１に係る印刷装置２の機能構成を示すブロック図である。
【００３７】
図２に示すように、印刷装置２は、アンテナ部２８、通信部３０、電源部３２、記憶部３４及び制御部３６を有している。なお、アンテナ部２８、通信部３０及び電源部３２は、上述したＮＦＣユニット２０を構成する。
【００３８】
アンテナ部２８は、端末装置２２と近接無線通信するためのアンテナであり、端末装置２２との間で電波を送受信する。
【００３９】
通信部３０は、アンテナ部２８を介して端末装置２２との間で近接無線通信を行う。ユーザが端末装置２２をＮＦＣユニット２０にかざした状態で、通信部３０に設けられたＩＣタグ（図示せず）が端末装置２２からのポーリングを受信することにより、印刷装置２と端末装置２２との間で近接無線通信が確立する。通信部３０は、近接無線通信が確立した時点で、端末装置２２との間で情報（データ）の送受信を行う。
【００４０】
なお、実施の形態１では、端末装置２２側にリーダライタ機能が実装され、印刷装置２側にＩＣタグ機能が実装される場合について説明するが、これとは反対に、端末装置２２側にＩＣタグ機能が実装され、印刷装置２側にリーダライタ機能が実装されていてもよい。
【００４１】
電源部３２は、アンテナ部２８で受信した電波に基づいて、電磁誘導によって電力を生起する。電源部３２は、端末装置２２からの電波をアンテナ部２８で受信している間、通信部３０、記憶部３４及び制御部３６にそれぞれ生起した電力を供給する。これにより、印刷装置２の主電源がオフである場合であっても、通信部３０、記憶部３４及び制御部３６の各々が動作可能となるので、印刷装置２と端末装置２２との間で近接無線通信を行うことができる。
【００４２】
記憶部３４は、互いに異なる領域である第１の記憶領域３４ａ及び第２の記憶領域３４ｂを有する不揮発性メモリである。第１の記憶領域３４ａは、インクカートリッジ２６の状態に関する第１の情報（カートリッジ情報及び物品情報の一例）を記憶する。第１の情報は、例えばインクカートリッジ２６に充填された各色のインク残量を示す情報である。第２の記憶領域３４ｂは、インクカートリッジ２６がキャリッジ２４に搭載されていないことを示す第２の情報（カートリッジ情報及び物品情報の一例）を記憶する。
【００４３】
制御部３６は、例えばマイクロコンピュータで構成されている。制御部３６は、印刷装置２の主電源がオンである場合に、インクカートリッジ２６からの検出信号に基づいて、第１の情報を第１の記憶領域３４ａに記憶させる。具体的には、制御部３６は、インクカートリッジ２６に充填された各色のインク残量を所定時間毎に検出し、検出したインク残量が変化（減少）した際に、第１の記憶領域３４ａに記憶されている第１の情報を更新する。これにより、第１の記憶領域３４ａには、現在キャリッジ２４に搭載されているインクカートリッジ２６の各色のインク残量を示す第１の情報が記憶されるようになる。
【００４４】
さらに、制御部３６は、回路３８の接続状態に基づいて、インクカートリッジ２６がキャリッジ２４に搭載されているか否かを判定する。この回路３８は、電源部３２により生起された電力を、制御部３６の出力ポート４０からキャリッジ２４に搭載されたインクカートリッジ２６を介して制御部３６の入力ポート４２にループバックする閉回路である。インクカートリッジ２６がキャリッジ２４に搭載されている場合には、回路３８が接続状態となるので、入力ポート４２における電圧値は出力ポート４０における電圧値とほぼ等しくなる。一方、インクカートリッジ２６がキャリッジ２４に搭載されていない場合には、回路３８が遮断状態となるので、入力ポート４２における電圧値はほぼ０Ｖとなる。
【００４５】
したがって、制御部３６は、入力ポート４２における電圧値が所定の閾値（０Ｖよりも大きく且つ出力ポート４０における電圧値よりも小さい電圧値）以上である場合には、インクカートリッジ２６がキャリッジ２４に搭載されていると判定する。一方、制御部３６は、入力ポート４２における電圧値が所定の閾値未満である場合には、インクカートリッジ２６がキャリッジ２４に搭載されていないと判定する。
【００４６】
さらに、制御部３６は、インクカートリッジ２６がキャリッジ２４に搭載されていると判定した場合には、第１の記憶領域３４ａから第１の情報を読み出す。一方、制御部３６は、インクカートリッジ２６がキャリッジ２４に搭載されていないと判定した場合には、第２の記憶領域３４ｂから第２の情報を読み出す。
【００４７】
［１−３．印刷装置の動作］
次に、図３〜図４Ｂを参照しながら、実施の形態１に係る印刷装置２の動作について説明する。図３は、実施の形態１に係る印刷装置２の動作の流れを示すフローチャートである。図４Ａは、端末装置２２における第１の情報の表示例を示す図である。図４Ｂは、端末装置２２における第２の情報の表示例を示す図である。
【００４８】
図３に示すように、ユーザが操作パネル１４の操作部１６を操作することにより、印刷装置２の主電源がオンする（Ｓ１）。印刷装置２の主電源がオンの状態で、制御部３６は、第１の情報を第１の記憶領域３４ａに記憶させる（Ｓ２）。なお、第２の記憶領域３４ｂには、第２の情報が予め記憶されている。その後、ユーザが操作パネル１４の操作部１６を再度操作することにより、印刷装置２の主電源がオフする（Ｓ３でＹＥＳ）。なお、印刷装置２の主電源がオフしない場合には（Ｓ３でＮＯ）、上述したステップＳ２が繰り返し実行される。
【００４９】
印刷装置２の主電源がオフした後に（Ｓ３でＹＥＳ）、ユーザは、インクカートリッジ２６に関する情報を知りたいと思った場合には、端末装置２２にインストールされている所定のアプリケーションを起動させる。その後、印刷装置２の主電源がオフの状態で、ユーザが端末装置２２を印刷装置２のＮＦＣユニット２０にかざすことにより、通信部３０に設けられたＩＣタグが端末装置２２からのポーリングを受信する（Ｓ４）。これにより、印刷装置２と端末装置２２との間で近接無線通信が確立する。このとき、電源部３２は、アンテナ部２８で受信した電波に基づいて、電磁誘導によって電力を生起し、通信部３０、記憶部３４及び制御部３６にそれぞれ生起した電力を供給する（Ｓ５）。
【００５０】
制御部３６は、回路３８の接続状態に基づいて、インクカートリッジ２６がキャリッジ２４に搭載されているか否かを判定する（Ｓ６）。制御部３６は、インクカートリッジ２６がキャリッジ２４に搭載されていると判定した場合には（Ｓ６でＹＥＳ）、第１の記憶領域３４ａから第１の情報を読み出す（Ｓ７）。その後、通信部３０は、制御部３６により読み出された第１の情報を、アンテナ部２８を介して端末装置２２に送信する（Ｓ８）。これにより、図４Ａに示すように、端末装置２２が第１の情報を解析することによって、第１の情報が端末装置２２の表示画面４４に表示される。なお、図４Ａに示す例では、端末装置２２の表示画面４４には、ブラック（Ｂ）、マゼンタ（Ｍ）、イエロー（Ｙ）及びシアン（Ｃ）の各色のインク残量を表す数値（パーセント表示）が第１の情報として表示される。
【００５１】
一方、ステップＳ６において、制御部３６は、インクカートリッジ２６がキャリッジ２４に搭載されていないと判定した場合には（Ｓ６でＮＯ）、第２の記憶領域３４ｂから第２の情報を読み出す（Ｓ９）。その後、通信部３０は、制御部３６により読み出された第２の情報を、アンテナ部２８を介して端末装置２２に送信する（Ｓ１０）。これにより、図４Ｂに示すように、端末装置２２が第２の情報を解析することによって、第２の情報が端末装置２２の表示画面４４に表示される。なお、図４Ｂに示す例では、端末装置２２の表示画面４４には、「インクカートリッジがありません」というメッセージが第２の情報として表示される。
【００５２】
［１−４．効果］
次に、実施の形態１に係る印刷装置２により得られる効果について説明する。上述したように、制御部３６は、インクカートリッジ２６がキャリッジ２４に搭載されているか否かを判定し、その判定結果に対応するカートリッジ情報を記憶部３４から読み出す。
【００５３】
インクカートリッジ２６がキャリッジ２４に搭載されている場合には、第１の記憶領域３４ａから読み出された第１の情報が端末装置２２に送信される。その結果、ユーザは、現在キャリッジ２４に搭載されているインクカートリッジ２６の各色のインク残量を示す第１の情報を端末装置２２により取得することができる。
【００５４】
一方、インクカートリッジ２６がキャリッジ２４に搭載されていない場合には、第２の記憶領域３４ｂから読み出された第２の情報が端末装置２２に送信される。その結果、例えば印刷装置２の主電源がオフの状態でインクカートリッジ２６が取り外された場合であっても、ユーザは、インクカートリッジ２６がキャリッジ２４に搭載されていないことを示す第２の情報を端末装置２２により取得することができる。
【００５５】
したがって、ユーザは、インクカートリッジ２６がキャリッジ２４に搭載されているか否かに応じて、インクカートリッジ２６に関する情報を適切に取得することができる。
【００５６】
（実施の形態２）
［２−１．印刷装置の機能構成］
次に、図５を参照しながら、実施の形態２に係る印刷装置２Ａの機能構成について説明する。図５は、実施の形態２に係る印刷装置２Ａの機能構成を示すブロック図である。なお、以下に示す各実施の形態において、上記実施の形態１と同一の構成要素には同一の符号を付し、その説明を省略する。
【００５７】
図５に示すように、実施の形態２に係る印刷装置２Ａでは、通信部３０Ａ、記憶部３４Ａ及び制御部３６Ａの各構成が上記実施の形態１と異なっている。
【００５８】
記憶部３４Ａは、第１の記憶領域３４ａ及び第２の記憶領域３４ｂに加えて、第３の記憶領域３４ｃを有している。第３の記憶領域３４ｃは、インクカートリッジ２６に固有の情報である第３の情報（カートリッジ情報及び物品情報の一例）を記憶する。第３の情報は、例えばインクカートリッジ２６の型番を示す情報である。
【００５９】
制御部３６Ａは、インクカートリッジ２６がキャリッジ２４（図１参照）に搭載されていると判定した場合には、第１の記憶領域３４ａから第１の情報を読み出し、且つ、第３の記憶領域３４ｃから第３の情報を読み出す。この場合、通信部３０Ａは、制御部３６Ａにより読み出された第１の情報及び第３の情報を、アンテナ部２８を介して端末装置２２に送信する。
【００６０】
一方、制御部３６Ａは、インクカートリッジ２６がキャリッジ２４に搭載されていないと判定した場合には、第２の記憶領域３４ｂから第２の情報を読み出し、且つ、第３の記憶領域３４ｃから第３の情報を読み出す。この場合、通信部３０Ａは、制御部３６Ａにより読み出された第２の情報及び第３の情報を、アンテナ部２８を介して端末装置２２に送信する。
【００６１】
［２−２．印刷装置の動作］
次に、図６及び図７を参照しながら、実施の形態２に係る印刷装置２Ａの動作について説明する。図６は、実施の形態２に係る印刷装置２Ａの動作の流れを示すフローチャートである。図７は、端末装置２２における第３の情報の表示例を示す図である。
【００６２】
図６に示すように、上記実施の形態１で説明したステップＳ１〜Ｓ６と同様に、ステップＳ２１〜Ｓ２６が実行される。ステップＳ２６において、制御部３６Ａは、インクカートリッジ２６がキャリッジ２４に搭載されていると判定した場合には（Ｓ２６でＹＥＳ）、第１の記憶領域３４ａから第１の情報を読み出し、且つ、第３の記憶領域３４ｃから第３の情報を読み出す（Ｓ２７）。その後、通信部３０Ａは、制御部３６Ａにより読み出された第１の情報及び第３の情報を、アンテナ部２８を介して端末装置２２に送信する（Ｓ２８）。これにより、実施の形態１で説明した図４Ａに示すように、第１の情報が端末装置２２の表示画面４４に表示される。ここで、ユーザが端末装置２２を操作することにより、図４Ａに示す画面から図７に示す画面に遷移し、第３の情報が端末装置２２の表示画面４４に表示される。なお、図７に示す例では、端末装置２２の表示画面４４には、インクカートリッジ２６の型番「ＣＢ−２０」が第３の情報として表示される。
【００６３】
一方、ステップＳ２６において、制御部３６Ａは、インクカートリッジ２６がキャリッジ２４に搭載されていないと判定した場合には（Ｓ２６でＮＯ）、第２の記憶領域３４ｂから第２の情報を読み出し、且つ、第３の記憶領域３４ｃから第３の情報を読み出す（Ｓ２９）。その後、通信部３０Ａは、制御部３６Ａにより読み出された第２の情報及び第３の情報を、アンテナ部２８を介して端末装置２２に送信する（Ｓ３０）。これにより、実施の形態１で説明した図４Ｂに示すように、第２の情報が端末装置２２の表示画面４４に表示される。ここで、上述と同様に、ユーザが端末装置２２を操作することにより、図４Ｂに示す画面から図７に示す画面に遷移し、第３の情報が端末装置２２の表示画面４４に表示される。
【００６４】
なお、実施の形態２では、ステップＳ３０において、第２の情報及び第３の情報が端末装置２２に送信されるようにしたが、例えば第３の情報のみが端末装置２２に送信されるようにしてもよい。この場合、端末装置２２は、インクカートリッジ２６がキャリッジ２４に搭載されていないと判断し、例えば図４Ｂに示すように、端末装置２２の表示画面４４に「インクカートリッジがありません」というメッセージを表示させる。
【００６５】
［２−３．効果］
次に、実施の形態２に係る印刷装置２Ａにより得られる効果について説明する。上述したように、インクカートリッジ２６がキャリッジ２４に搭載されている場合には、第１の記憶領域３４ａから読み出された第１の情報と第３の記憶領域３４ｃから読み出された第３の情報とが端末装置２２に送信される。その結果、ユーザは、現在キャリッジ２４に搭載されているインクカートリッジ２６の各色のインク残量を示す第１の情報と、インクカートリッジ２６の型番を示す第３の情報とを端末装置２２により取得することができる。
【００６６】
一方、インクカートリッジ２６がキャリッジ２４に搭載されていない場合には、第２の記憶領域３４ｂから読み出された第２の情報と第３の記憶領域３４ｃから読み出された第３の情報とが端末装置２２に送信される。その結果、ユーザは、インクカートリッジ２６がキャリッジ２４に搭載されていないことを示す第２の情報と、インクカートリッジ２６の型番を示す第３の情報とを端末装置２２により取得することができる。
【００６７】
したがって、上記実施の形態１と同様に、ユーザは、インクカートリッジ２６がキャリッジ２４に搭載されているか否かに応じて、インクカートリッジ２６に関する情報を適切に取得することができる。
【００６８】
（実施の形態３）
［３−１．印刷装置の機能構成］
次に、図８を参照しながら、実施の形態３に係る印刷装置２Ｂの機能構成について説明する。図８は、実施の形態３に係る印刷装置２Ｂの機能構成を示すブロック図である。
【００６９】
図８に示すように、実施の形態３に係る印刷装置２Ｂでは、通信部３０Ｂ、電源部３２Ｂ、インクカートリッジ２６Ｂ、第１の記憶部４６（記憶部の一例）、第２の記憶部３４Ｂ（記憶部の一例）及び制御部３６Ｂの各構成が上記実施の形態１と異なっている。
【００７０】
電源部３２Ｂは、端末装置２２からの電波をアンテナ部２８で受信している間、通信部３０Ｂ、第１の記憶部４６、第２の記憶部３４Ｂ及び制御部３６Ｂにそれぞれ生起した電力を供給する。
【００７１】
インクカートリッジ２６Ｂは、第１の記憶部４６を有している。第１の記憶部４６は、第１の情報を記憶する不揮発性メモリである。
【００７２】
第２の記憶部３４Ｂは、第２の記憶領域３４ｂ及び第３の記憶領域３４ｃを有している。第２の記憶領域３４ｂは第２の情報を記憶し、第３の記憶領域３４ｃは第３の情報を記憶する。
【００７３】
制御部３６Ｂは、インクカートリッジ２６Ｂがキャリッジ２４（図１参照）に搭載されていると判定した場合には、第１の記憶部４６から第１の情報を読み出し、且つ、第２の記憶部３４Ｂの第３の記憶領域３４ｃから第３の情報を読み出す。この場合、通信部３０Ｂは、制御部３６Ｂにより読み出された第１の情報及び第３の情報を、アンテナ部２８を介して端末装置２２に送信する。
【００７４】
一方、制御部３６Ｂは、インクカートリッジ２６Ｂがキャリッジ２４に搭載されていないと判定した場合には、第２の記憶部３４Ｂの第２の記憶領域３４ｂから第２の情報を読み出し、且つ、第２の記憶部３４Ｂの第３の記憶領域３４ｃから第３の情報を読み出す。この場合、通信部３０Ｂは、制御部３６Ｂにより読み出された第２の情報及び第３の情報を、アンテナ部２８を介して端末装置２２に送信する。
【００７５】
［３−２．印刷装置の動作］
次に、図９を参照しながら、実施の形態３に係る印刷装置２Ｂの動作について説明する。図９は、実施の形態３に係る印刷装置２Ｂの動作の流れを示すフローチャートである。
【００７６】
図９に示すように、上記実施の形態１で説明したステップＳ１と同様に、ステップＳ４１が実行される。その後、印刷装置２Ｂの主電源がオンの状態で、制御部３６Ｂは、第１の情報を第１の記憶部４６に記憶させる（Ｓ４２）。その後、上記実施の形態１で説明したステップＳ３〜Ｓ６と同様に、ステップＳ４３〜Ｓ４６が実行される。
【００７７】
ステップＳ４６において、制御部３６Ｂは、インクカートリッジ２６Ｂがキャリッジ２４に搭載されていると判定した場合には（Ｓ４６でＹＥＳ）、第１の記憶部４６から第１の情報を読み出し、且つ、第２の記憶部３４Ｂの第３の記憶領域３４ｃから第３の情報を読み出す（Ｓ４７）。その後、通信部３０Ｂは、制御部３６Ｂにより読み出された第１の情報及び第３の情報を、アンテナ部２８を介して端末装置２２に送信する（Ｓ４８）。
【００７８】
一方、制御部３６Ｂは、インクカートリッジ２６Ｂがキャリッジ２４に搭載されていないと判定した場合には（Ｓ４６でＮＯ）、第２の記憶部３４Ｂの第２の記憶領域３４ｂから第２の情報を読み出し、且つ、第２の記憶部３４Ｂの第３の記憶領域３４ｃから第３の情報を読み出す（Ｓ４９）。その後、通信部３０Ｂは、制御部３６Ｂにより読み出された第２の情報及び第３の情報を、アンテナ部２８を介して端末装置２２に送信する（Ｓ５０）。
【００７９】
なお、実施の形態３では、制御部３６Ｂは、回路３８の接続状態に基づいて、インクカートリッジ２６Ｂがキャリッジ２４に搭載されているか否かを判定したが、これに限定されない。例えば、制御部３６Ｂは、第１の記憶部４６からの第１の情報の読み出しに成功した場合に、インクカートリッジ２６Ｂがキャリッジ２４に搭載されていると判定し、第１の記憶部４６からの第１の情報の読み出しに失敗した場合に、インクカートリッジ２６Ｂがキャリッジ２４に搭載されていないと判定してもよい。
【００８０】
［３−３．効果］
実施の形態３に係る印刷装置２Ｂでは、上記実施の形態１と同様に、ユーザは、インクカートリッジ２６Ｂがキャリッジ２４に搭載されているか否かに応じて、インクカートリッジ２６Ｂに関する情報を適切に取得することができる。
【００８１】
（変形例）
以上、本発明の実施の形態１〜３に係る印刷装置について説明したが、本発明は、これらの実施の形態１〜３に限定されるものではない。例えば、上記実施の形態１〜３を適宜組み合わせてもよい。
【００８２】
例えば、上記各実施の形態では、印刷装置２（２Ａ，２Ｂ）がインクジェットプリンタである場合について説明したが、これに限定されず、例えばレーザプリンタ等であってもよい。なお、印刷装置２（２Ａ，２Ｂ）がレーザプリンタである場合には、トナー（記録剤の一例）が充填されたトナーカートリッジ（カートリッジ及び物品の一例）が装置本体５に着脱自在に搭載される。
【００８３】
例えば、上記各実施の形態では、電子機器が印刷装置２（２Ａ，２Ｂ）である場合について説明したが、これに限定されず、例えば光ディスクプレーヤ等の再生装置及びファクシミリ装置等でもよい。なお、電子機器が再生装置である場合には、光ディスク（物品の一例）が装置本体に着脱自在に搭載される。また、電子機器がファクシミリ装置である場合には、インクリボン（物品の一例）が装置本体に着脱自在に搭載される。
【００８４】
例えば、上記各実施の形態では、１個のインクカートリッジ２６が装置本体５に着脱自在に搭載される場合について説明したが、これに限定されず、例えばブラックのインクが充填されたモノクロカートリッジとカラーのインクが充填されたカラーカートリッジとが装置本体５に着脱自在に搭載されるようにしてもよい。
【００８５】
例えば、上記各実施の形態では、近接無線通信がＮＦＣ規格に従った通信方式による通信である場合について説明したが、これに限定されず、例えばＲＦＩＤ（Ｒａｄｉｏ  Ｆｒｅｑｕｅｎｃｙ  Ｉｄｅｎｔｉｆｉｃａｔｉｏｎ）タグよる通信方式による通信であってもよい。
【００８６】
例えば、上記各実施の形態では、端末装置２２がスマートフォンである場合について説明したが、これに限定されず、例えばタブレット端末等であってもよい。
【００８７】
例えば、上記各実施の形態では、第２の情報が不揮発性メモリで構成された記憶部３４（３４Ａ）又は第２の記憶部３４Ｂに記憶される場合について説明したが、これに限定されず、第２の情報は、例えば装置本体５に設けられたＲＯＭ（Ｒｅａｄ  Ｏｎｌｙ  Ｍｅｍｏｒｙ）（記憶部の一例）に記憶されていてもよい。なお、このＲＯＭには制御プログラムが格納されており、制御部３６（３６Ａ，３６Ｂ）が動作する際にこの制御プログラムが読み出される。
【００８８】
例えば、上記各実施の形態では、印刷装置２（２Ａ，２Ｂ）の主電源がオフの状態で、印刷装置２（２Ａ，２Ｂ）と端末装置２２とが近接無線通信する場合について説明したが、これに限定されず、印刷装置２（２Ａ，２Ｂ）の主電源がオンの状態で、印刷装置２（２Ａ，２Ｂ）と端末装置２２とが近接無線通信するようにしてもよい。
【００８９】
（他の変形例）
また、上記の印刷装置（電子機器）は、具体的には、マイクロプロセッサ、ＲＯＭ、ＲＡＭ、ハードディスクドライブ、ディスプレイユニット、キーボード、マウスなどから構成されるコンピュータシステムとして構成されても良い。ＲＡＭまたはハードディスクドライブには、コンピュータプログラムが記憶されている。マイクロプロセッサが、コンピュータプログラムに従って動作することにより、印刷装置（電子機器）は、その機能を達成する。ここでコンピュータプログラムは、所定の機能を達成するために、コンピュータに対する指令を示す命令コードが複数個組み合わされて構成されたものである。
【００９０】
さらに、上記の印刷装置（電子機器）を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしても良い。システムＬＳＩは、複数の構成部を１個のチップ上に集積して製造された超多機能ＬＳＩであり、例えば、マイクロプロセッサ、ＲＯＭ、ＲＡＭなどを含んで構成されるコンピュータシステムを含む。この場合、ＲＯＭには、コンピュータプログラムが記憶されている。マイクロプロセッサが、コンピュータプログラムに従って動作することにより、システムＬＳＩは、その機能を達成する。
【００９１】
さらにまた、上記の印刷装置（電子機器）を構成する構成要素の一部または全部は、印刷装置に脱着可能なＩＣカードまたは単体のモジュールから構成されているとしても良い。ＩＣカードまたはモジュールは、マイクロプロセッサ、ＲＯＭ、ＲＡＭなどから構成されるコンピュータシステムである。ＩＣカードまたはモジュールは、上記の超多機能ＬＳＩを含むとしても良い。マイクロプロセッサが、コンピュータプログラムに従って動作することにより、ＩＣカードまたはモジュールは、その機能を達成する。このＩＣカードまたはこのモジュールは、耐タンパ性を有するとしても良い。
【００９２】
また、本発明は、上記に示す方法であるとしても良い。また、本発明は、これらの方法をコンピュータにより実現するコンピュータプログラムであるとしても良いし、上記コンピュータプログラムからなるデジタル信号であるとしても良い。
【００９３】
さらに、本発明は、上記コンピュータプログラムまたは上記デジタル信号をコンピュータ読み取り可能な非一時的な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしても良い。また、これらの非一時的な記録媒体に記録されている上記デジタル信号であるとしても良い。
【００９４】
また、本発明は、上記コンピュータプログラムまたは上記デジタル信号を、電気通信回線、無線または有線通信回線、インターネットを代表とするネットワーク、データ放送等を経由して伝送するものとしても良い。
【００９５】
また、本発明は、マイクロプロセッサとメモリを備えたコンピュータシステムであって、上記メモリは、上記コンピュータプログラムを記憶しており、上記マイクロプロセッサは、上記コンピュータプログラムに従って動作するとしても良い。
【００９６】
また、上記プログラムまたは上記デジタル信号を上記非一時的な記録媒体に記録して移送することにより、または上記プログラムまたは上記デジタル信号を上記ネットワーク等を経由して移送することにより、独立した他のコンピュータシステムにより実施するとしても良い。
【産業上の利用可能性】
【００９７】
本発明の印刷装置は、例えばインクジェットプリンタ又はレーザプリンタ等として適用することができる。
【符号の説明】
【００９８】
２，２Ａ，２Ｂ  印刷装置
４  筐体
５  装置本体
６  供給口
８  供給トレイ
１０  排出口
１２  排出トレイ
１４  操作パネル
１６  操作部
１８  表示部
２０  ＮＦＣユニット
２２  端末装置
２４  キャリッジ
２６，２６Ｂ  インクカートリッジ
２８  アンテナ部
３０，３０Ａ，３０Ｂ  通信部
３２，３２Ｂ  電源部
３４，３４Ａ  記憶部
３４Ｂ  第２の記憶部
３４ａ  第１の記憶領域
３４ｂ  第２の記憶領域
３４ｃ  第３の記憶領域
３６，３６Ａ，３６Ｂ  制御部
３８  回路
４０  出力ポート
４２  入力ポート
４４  表示画面
４６  第１の記憶部
【図１】
2017177777.tif 000003
【図２】
2017177777.tif 000004
【図３】
2017177777.tif 000005
【図４Ａ】
2017177777.tif 000006
【図４Ｂ】
2017177777.tif 000007
【図５】
2017177777.tif 000008
【図６】
2017177777.tif 000009
【図７】
2017177777.tif 000010
【図８】
2017177777.tif 000011
【図９】
2017177777.tif 000012